(57)【要約】【課題】基材に対するパターン転写時の位置合わせを高精度に行うとともに、転写精度を高めることが可能なパターン転写装置およびパターン転写方法を提供する。【解決手段】表面賦形部４１１、表面アライメントマーク４１２を有する表面ロール４１と、裏面賦形部４３１、裏面アライメントマーク４３２、裏面トリガーマーク４３３を有する裏面ロール４３と、補正機構８とを備える。補正機構は、第１の検知部８１ａと、第２の検知部８１ｂと、第３の検知部８１ｃと、第１の検知部によって検知された裏面アライメントマークの位置、および第２の検知部によって検知された表面アライメントマークの位置に基づいて、成形される裏面パターンの表面パターンに対する位置のズレの仮補正量を設定し、第３の検知部によって検知された裏面ロールの軸方向の位置に基づいて仮補正量を修正して最終補正量を設定し、最終補正量に基づいてズレを補正する制御部８２とを有する。【選択図】      図１
2019025718.tif 000002
【特許請求の範囲】
【請求項１】
薄膜状の基材の一面に転写されて表面パターンを成形する表面賦形部、前記基材の一面に転写されて前記表面パターンの成形位置を示す表面アライメントマークを有する表面ロールと、
前記基材の他面に転写されて裏面パターンを成形する裏面賦形部、前記基材の他面に成形される前記裏面パターンの位置を示す裏面アライメントマーク、および前記裏面アライメントマークと対をなし、対をなす前記裏面アライメントマークよりも所定の位相だけ回転方向の手前に位置する裏面トリガーマークを有する裏面ロールと、
成形される前記裏面パターンの前記表面パターンに対する位置のズレを補正する補正機構と、を備え、
前記補正機構は、
前記裏面アライメントマークの位置および前記裏面トリガーマークの位置をそれぞれ検知する第１の検知部と、
前記第１の検知部によって前記裏面アライメントマークの位置が検知された時に、前記基材の一面に転写された前記表面アライメントマークの位置を検知する第２の検知部と、
前記第１の検知部によって前記裏面アライメントマークの位置および前記裏面トリガーマークの位置が検知された時に、前記裏面ロールの軸方向の位置をそれぞれ検知する第３の検知部と、
前記第１の検知部によって検知された前記裏面アライメントマークの位置、および前記第２の検知部によって検知された前記表面アライメントマークの位置に基づいて前記ズレの仮補正量を設定し、前記第３の検知部によって検知された前記裏面ロールの軸方向の位置に基づいて前記仮補正量を修正して前記ズレの最終補正量を設定し、前記最終補正量に基づいて前記ズレを補正する制御部と、を有する
パターン転写装置。
【請求項２】
前記制御部は、前記最終補正量に基づいて、前記裏面ロールの周速度を増減させるとともに、前記裏面ロールの軸方向位置を変位させる
請求項１に記載のパターン転写装置。
【請求項３】
前記基材を搬送し、前記裏面ロールとの間の転写点で前記裏面賦形部を前記基材の他面に転写させる裏面バックアップロールを備え、
前記第２の検知部は、前記裏面バックアップロールで搬送されている前記基材の一面に転写された前記表面アライメントマークの位置を検知可能に配置されている
請求項１または２に記載のパターン転写装置。
【請求項４】
薄膜状の基材の一面に表面ロールの表面賦形部を転写して表面パターンを成形するとともに、前記基材の他面に裏面ロールの裏面賦形部を転写して裏面パターンを成形する際に、成形される前記裏面パターンの前記表面パターンに対する位置のズレを予め補正して前記裏面パターンを成形するパターン転写方法であって、
前記表面パターンの成形位置を示す前記表面ロールの表面アライメントマークを転写して、前記基材の一面にフィルム表面アライメントマークを成形し、
成形される前記裏面パターンの成形位置を示す前記裏面ロールの裏面アライメントマークの位置を検知し、
前記裏面アライメントマークの位置が検知された時に前記フィルム表面アライメントマークの位置を検知し、前記ズレの仮補正量を設定し、
前記仮補正量の設定後、前記裏面アライメントマークと対をなし、対をなす前記裏面アライメントマークよりも所定の位相だけ回転方向の手前に位置する裏面トリガーマークの位置を検知し、
前記裏面トリガーマークの位置が検知された時の前記裏面ロールの軸方向の位置に基づいて、前記仮補正量を修正して前記ズレの最終補正量を設定し、
前記基材の他面に前記裏面パターンを成形する前に、前記ズレを前記最終補正量に基づいて補正し、前記裏面パターンを成形する
パターン転写方法。
【発明の詳細な説明】
【技術分野】
【０００１】
本発明の実施形態は、パターン転写のベースとなるフィルム（ベースフィルム）の両面にロールのパターンを転写する装置、いわゆるロールツーロール式両面転写装置およびその転写方法に関する。
【背景技術】
【０００２】
例えば、特許文献１には、印刷を高精細に行うことが可能な反転印刷装置（転写装置）が開示されている。かかる装置においては、印刷の態様を２台のカメラを用いて監視している。一方のカメラは、基材に印刷（転写）するパターン（賦形部）を撮像している。他方のカメラは、基材上のマークを撮像している。これにより、パターンと基材の位置情報を計測し、これらの相対位置を求めることで、両者の位置合わせを行っている。その際、位置合わせは、パターンを有するシリンダ（ロール）と基材の位置を微調整（補正）することで行われる。補正量の算出については、既知の補正技術を利用している。
【０００３】
かかる位置の補正は、カメラによる撮像後、基材に対してパターンが印刷されるまでの間で行われる。したがって、パターンと基材の位置合わせ（位置補正）後、パターンが基材に印刷されるまでには、所定のタイムラグがある。このため、パターンと基材の相対位置は、かかるタイムラグによってカメラ撮像時とは異なるおそれがある。例えば、パターンを有するシリンダの軸部を支持する軸受部には、高精度のベアリングが用いられるが、それでも軸方向にミクロンオーダーの振れが生じる可能性がある。このような振れが生じた場合、カメラ撮像後に、所望の範囲を超える新たなズレが生じるおそれがある。
【先行技術文献】
【特許文献】
【０００４】
【特許文献１】特開２００７−２６８７１４号公報
【発明の概要】
【発明が解決しようとする課題】
【０００５】
特許文献１に開示された装置において、カメラによる撮像から基材への印刷（転写）までのタイムラグに生ずるパターン（賦形部）と基材のズレ（位置補正後のズレ）については、考慮されていない。パターンは、基材に印刷される位置よりもシリンダ（ロール）上の１／４周手前で撮像されている。このため、カメラによる撮像時から基材に対するパターンの印刷（転写）時までの間に生ずる両者の位置ズレを補正することはできない。したがって、特許文献１に開示された装置において、基材とパターンとの位置合わせ（位置補正）を高精度に行い、印刷精度を高めるには限界がある。
【０００６】
本発明は、これを踏まえてなされたものであり、その目的は、基材に対するパターン印刷（転写）時の位置合わせ（位置補正）を高精度に行うとともに、印刷（転写）精度を高めることが可能なパターン転写装置およびパターン転写方法を提供することにある。
【課題を解決するための手段】
【０００７】
実施形態のパターン転写装置は、薄膜状の基材の一面に転写されて表面パターンを成形する表面賦形部、基材の一面に転写されて表面パターンの成形位置を示す表面アライメントマークを有する表面ロールと、基材の他面に転写されて裏面パターンを成形する裏面賦形部、基材の他面に成形される裏面パターンの位置を示す裏面アライメントマーク、および裏面アライメントマークと対をなし、対をなす裏面アライメントマークよりも所定の位相だけ回転方向の手前に位置する裏面トリガーマークを有する裏面ロールと、成形される裏面パターンの前記表面パターンに対する位置のズレを補正する補正機構と、を備える。補正機構は、裏面アライメントマークの位置および裏面トリガーマークの位置をそれぞれ検知する第１の検知部と、第１の検知部によって裏面アライメントマークの位置が検知された時に、基材の一面に転写された表面アライメントマークの位置を検知する第２の検知部と、第１の検知部によって裏面アライメントマークの位置および裏面トリガーマークの位置が検知された時に、裏面ロールの軸方向の位置をそれぞれ検知する第３の検知部と、第１の検知部によって検知された裏面アライメントマークの位置、および第２の検知部によって検知された表面アライメントマークの位置に基づいてズレの仮補正量を設定し、第３の検知部によって検知された裏面ロールの軸方向の位置に基づいて仮補正量を修正してズレの最終補正量を設定し、最終補正量に基づいてズレを補正する制御部と、を有する。
【０００８】
また、実施形態のパターン転写方法は、薄膜状の基材の一面に表面ロールの表面賦形部を転写して表面パターンを成形するとともに、基材の他面に裏面ロールの裏面賦形部を転写して裏面パターンを成形する際に、成形される裏面パターンの表面パターンに対する位置のズレを予め補正して裏面パターンを成形するための方法である。かかるパターン転写方法は、次の手順による。表面パターンの成形位置を示す表面ロールの表面アライメントマークを転写して、基材の一面にフィルム表面アライメントマークを成形する。成形される裏面パターンの成形位置を示す裏面ロールの裏面アライメントマークの位置を検知する。裏面アライメントマークの位置が検知された時にフィルム表面アライメントマークの位置を検知し、ズレの仮補正量を設定する。仮補正量の設定後、裏面アライメントマークの位置を示す裏面ロールの裏面トリガーマークの位置を検知する。裏面トリガーマークの位置が検知された時の裏面ロールの軸方向の位置に基づいて、仮補正量を修正してズレの最終補正量を設定する。そして、基材の他面に裏面パターンを成形する前に、ズレを最終補正量に基づいて補正し、裏面パターンを成形する。
【発明の効果】
【０００９】
実施形態によれば、基材に対するパターン印刷（転写）時の位置合わせ（位置補正）を高精度に行うとともに、印刷（転写）精度を高めることが可能なパターン転写装置およびパターン転写方法を実現することができる。
【図面の簡単な説明】
【００１０】
【図１】実施形態のパターン転写方法を実施するためのパターン転写装置を示す概略構成図。
【図２】実施形態の表面ロールを鉛直上方から示す図。
【図３】実施形態の表面ロールにおける表面アライメントマークの配置を示す図。
【図４】実施形態の裏面ロールを鉛直上方から示す図。
【図５】実施形態の裏面ロールにおける裏面アライメントマークおよび裏面トリガーマークの配置を示す図。
【図６】実施形態の裏面ロールの移動機構の概略構成を示す図。
【図７】実施形態の第１の検知部（第１のカメラ）、第２の検知部（第２のカメラ）、裏面ロール、裏面バックアップロールの配置を双方のロールの軸方向から示す図。
【図８】実施形態の第１の検知部（第１のカメラ）、第３の検知部（変位計）、裏面ロールの配置を裏面ロールの軸方向から示す図。
【図９】実施形態の第１の検知部（第１のカメラ）、第３の検知部（変位計）、裏面ロールの配置を鉛直上方から示す図。
【図１０】実施形態の第２の検知部（第２のカメラ）、裏面バックアップロール、ベースフィルムの配置を裏面バックアップロールの軸方向から示す図。
【図１１】実施形態の第２の検知部（第２のカメラ）、裏面バックアップロール、ベースフィルムの配置を鉛直上方から示す図。
【図１２】実施形態の流れ方向および幅方向に対するパターンズレの第１の補正処理について説明する図。
【図１３】実施形態の流れ方向および幅方向に対するパターンズレの第２の補正処理について説明する図。
【発明を実施するための形態】
【００１１】
以下、本発明の一実施形態に係るパターン転写装置およびパターン転写方法について、図１から図１３を参照して説明する。
【００１２】
図１には、本実施形態に係るパターン転写装置１の構成の一例を概略的に示す。パターン転写装置１は、薄膜状の基材２の両面に、転写用ロールの賦形部（パターン）を転写する装置（いわゆるロールツーロール式両面転写装置）である。薄膜状の基材２は、パターン転写のベースとなるフィルムやシート（以下、ベースフィルム２という）などである。また、以下の説明では、両面にパターンが転写されたベースフィルム２については、転写フィルム２０と称して適宜、ベースフィルム２と区別する。
【００１３】
本実施形態のパターン転写装置１（図１から図１３参照）において、第１方向Ｘおよび第２方向Ｙは、水平面上において互いに直交する方向である。第１方向Ｘおよび第２方向Ｙと直交する方向を第３方向Ｚと定義する。第１方向Ｘは、パターン転写装置１の横方向（あるいは、左右方向）として規定されている。また、第１方向Ｘは、ベースフィルム２、転写フィルム２０の幅方向とも規定される。第２方向Ｙは、パターン転写装置１の縦方向（あるいは、長手方向）として規定されている。第３方向Ｚは、パターン転写装置１の重力方向（あるいは、上下方向）として規定されている。
【００１４】
図１に示すように、パターン転写装置１は、樹脂層形成部３、パターン転写部４、樹脂層硬化部５、およびフィルム搬送部６を備えている。樹脂層形成部３、パターン転写部４、樹脂層硬化部５は、ベースフィルム２の一面（以下、表面という）２ａと他面（以下、裏面という）２ｂに対応してそれぞれ備えられている。フィルム搬送部６は、樹脂層形成部３（３ａ）にベースフィルム２を送り出し、パターン転写部４を経て、樹脂層硬化部５（５１ｂ）より転写フィルム２０を引き取るように、樹脂層形成部３、パターン転写部４、樹脂層硬化部５の前後とそれらの間に備えられている。
【００１５】
パターン転写装置１には、第１方向Ｘにおける基準位置を表わし、第２方向Ｙに延びる直線として、機械基準線Ｌ（図９、図１１、図１２、図１３参照）が設定されている。樹脂層形成部３、パターン転写部４、樹脂層硬化部５、およびフィルム搬送部６は、機械基準線Ｌを基準として、機械基準線Ｌに沿って順次配置されている。そして、樹脂層形成部３、パターン転写部４、樹脂層硬化部５、およびフィルム搬送部６は、後述する補正機構８の制御部８２によって、稼働状態がそれぞれ制御されている。
【００１６】
ベースフィルム２は、平面状のフィルム面が所定長さに亘って連続する樹脂フィルムである。本実施形態では、光透過性（透光性）、具体的には紫外線透過性を持つ透明のフィルムをベースフィルム２として適用する。
【００１７】
フィルム搬送部６は、ベースフィルム２を繰り出すフィルム繰出軸６１と、繰り出したベースフィルム２から生成された転写フィルム２０を巻き取るフィルム巻取軸６２とを備えている。フィルム繰出軸６１およびフィルム巻取軸６２は、いずれもモータ（図示省略）の駆動力で回転する。フィルム繰出軸６１は、ベースフィルム２の搬送方向（以下、流れ方向という）の最上流に、フィルム巻取軸６２は、当該流れ方向の最下流にそれぞれ配置されている。これにより、ベースフィルム２がフィルム繰出軸６１から繰り出されるとともに、転写フィルム２０がフィルム巻取軸６２に巻き取られる。
【００１８】
また、フィルム搬送部６は、ベースフィルム２の搬送を中継する複数の中継ロール（中継ロール群）６３を備えている。中継ロール群６３（６３ａ，６３ｂ，６３ｃ，６３ｄ，６３ｅ，６３ｆを含む）は、フィルム繰出軸６１とフィルム巻取軸６２との間の搬送経路上に配置されており、駆動ロールと従動ロール（以下、アイドルロールという）によって構成されている。駆動ロールは、モータ（図示省略）の駆動力で回転する。アイドルロールは、ベースフィルム２および転写フィルム２０の流れによって回転する。
【００１９】
本実施形態では一例として、フィルム繰出軸６１の下流側には、入口側フィードロール６３ａと、この入口側フィードロール６３ａに対向して、ニップロール６３ｂが配置されている。フィルム巻取軸６２の上流側には、出口側フィードロール６３ｃと、この出口側フィードロール６３ｃに対向して、ニップロール６３ｄが配置されている。入口側フィードロール６３ａの下流側、および出口側フィードロール６３ｃの上流側には、それぞれ、ダンサーロール６３ｅ，６３ｆが設けられている。ベースフィルム２および転写フィルム２０は、入口側フィードロール６３ａ、出口側フィードロール６３ｃ、ダンサーロール６３ｅ，６３ｆ、およびその他の中継ロール６３により、所定の張力を保ちながら搬送される。
【００２０】
フィルム繰出軸６１にセットされるベースフィルム２の巻玉は、ベースフィルム２がロール状に巻かれて形成されている。ベースフィルム２の巻玉は、幅寸法にかかわらず、ベースフィルム２の幅方向（第１方向Ｘ）の中央点が機械基準線Ｌ上に位置するように、フィルム繰出軸６１にセットされる。そして、フィルム繰出軸６１から繰り出されたベースフィルム２は、幅方向の中央点が機械基準線Ｌに沿うように搬送され、言い換えれば、幅方向の中央点の軌跡を水平面上に投影した時に機械基準線Ｌと一致するように搬送され、転写フィルム２０となってフィルム巻取軸６２に巻き取られる。
【００２１】
樹脂層形成部３は、ベースフィルム２の表面２ａおよび裏面２ｂに樹脂層（図示省略）を形成する。図１に示すように、樹脂層形成部３は、表面２ａに樹脂層を形成する表面用の樹脂吐出部（塗工ダイ）３ａと、裏面２ｂに樹脂層を形成する裏面用の樹脂吐出部（塗工ダイ）３ｂを備えている。表面用の樹脂吐出部３ａはベースフィルム２の表面２ａに、裏面用の樹脂吐出部３ｂはベースフィルム２の裏面２ｂに、それぞれ未硬化樹脂を薄膜状に広げて吐出する。ベースフィルム２が所定のラインスピードで搬送されているため、樹脂吐出部３ａ，３ｂから吐出された未硬化樹脂は、表面２ａおよび裏面２ｂでそれぞれ樹脂層をなす。樹脂としては、紫外線硬化性を持ち、例えば常温で液体状の透明樹脂が用いられる。
【００２２】
パターン転写部４は、ベースフィルム２の表面２ａおよび裏面２ｂに形成された樹脂層に、転写によってパターン２１を成形する。図１に示すように、パターン転写部４は、樹脂層にパターン２１を成形するパターン転写ロール群を備えている。表面２ａのパターン転写ロール群は、表面２ａの樹脂層に表面パターン２１ａを成形する第１のロール（以下、表面ロールという）４１と第２のロール（以下、表面バックアップロールという）４２を有している。また、裏面２ｂのパターン転写ロール群は、裏面２ｂの樹脂層に裏面パターン２１ｂを成形する第３のロール（以下、裏面ロールという）４３と第４のロール（以下、裏面バックアップロールという）４４を有している。
【００２３】
表面ロール４１と表面バックアップロール４２は、互いのロール面を対向させて配置され、その間で表面２ａに樹脂層が形成されたベースフィルム２を挟圧することにより、樹脂層に表面パターン２１ａを成形する。裏面ロール４３と裏面バックアップロール４４は、互いのロール面を対向させて配置され、その間で裏面２ｂに樹脂層が形成されたベースフィルム２を挟圧することにより、樹脂層に裏面パターン２１ｂを成形する。本実施形態では、表面ロール４１（後述する表面賦形部４１１の凸部分）、表面バックアップロール４２、裏面ロール４３（後述する裏面賦形部４３１の凸部分）、裏面バックアップロール４４の各直径は、同一直径に設定されている。
【００２４】
図２から図５には、表面ロール４１および裏面ロール４３の概略構成を示す。表面ロール４１および裏面ロール４３は、駆動ロールである。これらのロール４１，４３の軸部４１ａ，４３ａは、両側が軸受部（図示省略）によって支持され、一端側に接続されたモータ（図示省略）の駆動力で回転する。これに対し、表面バックアップロール４２および裏面バックアップロール４４は、ベースフィルム２の流れによって回転するアイドルロールである。
【００２５】
表面ロール４１、裏面ロール４３、表面バックアップロール４２、および裏面バックアップロール４４は、機械基準線Ｌと直交するように配置されている。言い換えれば、表面ロール４１、裏面ロール４３、表面バックアップロール４２、および裏面バックアップロール４４の軸方向（あるいは、長手方向）は、第２方向Ｙと直交し、第１方向Ｘと一致する。
【００２６】
表面バックアップロール４２は、表面ロール４１の軸部４１ａと平行な軸を中心に、表面ロール４１とは逆方向（図１では反時計回り）に回転する。図１に示すように、表面ロール４１と表面バックアップロール４２は、回転の軸、およびベースフィルム２を挟圧して樹脂層に表面パターン２１ａを成形する転写点Ｔａが同一の水平面上に位置するように配置されている。一方、裏面バックアップロール４４は、裏面ロール４３の軸部４３ａと平行な軸を中心に、裏面ロール４３とは逆方向（図１では時計回り）に回転する。図１に示すように、裏面ロール４３と裏面バックアップロール４４は、回転の軸、およびベースフィルム２を挟圧して樹脂層に裏面パターン２１ｂを成形する転写点Ｔｂが同一の水平面上に位置するように配置されている。
【００２７】
裏面ロール４３は、軸方向（第１方向Ｘ）に進退可能となっている。これにより、裏面ロール４３は、裏面バックアップロール４４に対して軸方向に変位する。本実施形態では一例として、裏面ロール４３は、図６に示すように移動テーブル１０に搭載されている。移動テーブル１０は、裏面バックアップロール４４が搭載されたベース（床面）１２に対して、裏面ロール４３の軸方向に移動する。移動テーブル１０を移動させる移動機構１１としては、モータ、ボールねじ、レールおよびスライダなどを用いた機構のように、直線移動可能かつ所定位置で停止可能な機構を適用することができる。
【００２８】
図２に示すように、表面ロール４１は、表面賦形部４１１をロール面４１ｓに有している。表面賦形部４１１は、転写により表面パターン２１ａを成形するための凹凸部である。表面バックアップロール４２は、表面ロール４１の表面賦形部４１１にベースフィルム２の表面２ａを押し付ける押付ロールである。これらのロール４１，４２により、ベースフィルム２の表面２ａには、表面賦形部４１１の凸凹を反転させた凹凸部として、表面パターン２１ａが樹脂層に成形される。
【００２９】
同様に、図４に示すように、裏面ロール４３は、裏面賦形部４３１をロール面４３ｓに有している。裏面賦形部４３１は、転写により裏面パターン２１ｂを成形するための凹凸部である。裏面バックアップロール４４は、裏面ロール４３の裏面賦形部４３１にベースフィルム２の裏面２ｂを押し付ける押付ロールである。これらのロール４３，４４により、ベースフィルム２の裏面２ｂには、裏面賦形部４３１の凸凹を反転させた凹凸部として、裏面パターン２１ｂが樹脂層に成形される。
【００３０】
表面賦形部４１１および裏面賦形部４３１は、模様や図形、あるいは記号や文字などの任意の形態をなす凹凸状に加工されている。
【００３１】
図２および図３に示すように、表面ロール４１は、表面賦形部４１１に加えて、表面賦形部４１１の転写位置を示す表面アライメントマーク４１２をロール面４１ｓに有している。表面アライメントマーク４１２は、表面賦形部４１１とともに、ベースフィルム２の表面２１ａの樹脂層に転写される。転写された表面アライメントマーク４１２（以下、フィルム表面アライメントマーク２１ｃという）の位置により、ベースフィルム２の表面２ａに対する表面賦形部４１１の転写位置、つまり表面パターン２１ａの成形位置を把握することが可能となる。図２には、井（♯）形とした形態を一例として示すが、表面アライメントマーク４１２は、任意の形態で構わない。この場合、井（♯）形は、例えば凹状に加工すればよい。なお、以下の説明においては、表面ロール４１の表面アライメントマーク４１２が転写され、ベースフィルム２の表面２１ａの樹脂層に成形されたマークをフィルム表面アライメントマーク２１ｃとして、表面アライメントマーク４１２と区別する。
【００３２】
また、図４および図５に示すように、裏面ロール４３は、裏面賦形部４３１に加えて、裏面アライメントマーク４３２と裏面トリガーマーク４３３をロール面４３ｓに有している。裏面アライメントマーク４３２は、裏面賦形部４３１とともに、ベースフィルム２の裏面２１ｂの樹脂層に転写される。なお、本実施形態において、裏面アライメントマーク４３２の転写は必須ではない。裏面アライメントマーク４３２を転写可能とした場合、例えば、裏面ロール４３の下流側にベースフィルム２に転写された両面のアライメントマークを検知するカメラなどの検査装置を設けて、転写状態を管理することも可能となる。また、裏面トリガーマーク４３３の転写は、特に必要ない。
【００３３】
裏面アライメントマーク４３２は、裏面賦形部４３１の転写位置を示す。裏面アライメントマーク４３２の位置により、ベースフィルム２の裏面２ｂに対する裏面賦形部４３１の転写位置、つまり裏面パターン２１ｂの成形位置を把握できる。裏面トリガーマーク４３３は、裏面アライメントマーク４３２と対をなす識別マークである。裏面トリガーマーク４３３は、裏面ロール４３の回転方向に対して、対をなす裏面アライメントマーク４３２の位置よりも所定の位相（回転角度）だけ手前（上流側）に位置する。裏面トリガーマーク４３３の位置により、回転方向への裏面ロール４３（端的には、裏面アライメントマーク４３２）の位相変化を把握できる。図４には、裏面アライメントマーク４３２を斜め十字（×）、裏面トリガーマーク４３３を円環（○）とした形態を一例として示す。これらは、任意の形態で構わないが、互いに識別可能かつ表面アライメントマーク４１２とも識別可能な形態とする。この場合、裏面アライメントマーク４３２（斜め十字（×））は、例えば凹状に加工すればよい。裏面トリガーマーク４３３（円環（○））も、例えば凹状に加工すればよい。
【００３４】
表面アライメントマーク４１２、裏面アライメントマーク４３２、裏面トリガーマーク４３３の数および配置間隔は、互いに一致していれば任意に設定可能である。本実施形態では図３に示すように、表面ロール４１は、４箇所Ｍ１〜Ｍ４に１つずつ、４つの表面アライメントマーク４１２を有している。４つの表面アライメントマーク４１２は、表面ロール４１のロール面４１ｓに、周方向へ等間隔（９０°の位相差）で配置されている。また、図２に示すように、４つの表面アライメントマーク４１２は、ロール面４１ｓの中央線（ロールセンタ）Ｌ４１から所定距離ａ４１だけモータによる駆動側（図２においては、右側）にオフセットして配置されている。所定距離ａ４１は、表面アライメントマーク４１２が表面賦形部４１１から外れるように設定されている。
【００３５】
これに対応して、裏面ロール４３は、図５に示すように４箇所Ｍ５〜Ｍ８に１つずつ、４つの裏面アライメントマーク４３２を有している。４つの裏面アライメントマーク４３２は、１つずつそれぞれ異なる表面アライメントマーク４１２と対をなしている。４つの裏面アライメントマーク４３２は、裏面ロール４３のロール面４３ｓに、周方向へ等間隔（９０°の位相差）で配置されている。また、裏面ロール４３は、４箇所Ｍ９〜Ｍ１２に１つずつ、４つの裏面トリガーマーク４３３を有している。４つの裏面トリガーマーク４３３は、１つずつそれぞれ異なる裏面アライメントマーク４３２と対をなしている。裏面トリガーマーク４３３は、裏面ロール４３の回転方向（図５では反時計回り）に対して、対をなす裏面アライメントマーク４３２の位置よりも位相を８５°だけ手前（上流側）にずらして配置されている。
【００３６】
対をなす裏面アライメントマーク４３２と裏面トリガーマーク４３３は、後述する第１の検知部（第１のカメラ）８１ａの第１のカメラ基準点８４ａと裏面ロール４３の転写点Ｔｂとの位相差（回転角）の範囲内に配置される。本実施形態では、第１のカメラ基準点８４ａと転写点Ｔｂとの位相差は、９０°に設定されている。また、対をなす裏面アライメントマーク４３２と裏面トリガーマーク４３３との位相差は、８５°に設定されている。したがって、例えば裏面ロール４３の回転方向（図５では反時計回り）に対して、転写点Ｔｂの５°手前（上流側）に裏面アライメントマーク４３２が位置する時、これと対をなす裏面トリガーマーク４３３は、裏面ロール４３の軸芯４３ｃに対して鉛直上方（時計における１２時の位置）、言い換えれば、ロール面４３ｓの頂点４３ｐに位置する。ただし、これらの角度は、一例であって上記の値に限定されるものではない。
【００３７】
これらの裏面アライメントマーク４３２および裏面トリガーマーク４３３は、ロール面４３ｓの中央線（ロールセンタ）Ｌ４３から幅方向に所定距離ａ４３だけ、裏面ロール４３のモータによる駆動側（図４においては、右側）にオフセットして配置されている。言い換えれば、これらの裏面アライメントマーク４３２および裏面トリガーマーク４３３は、ロール面４３ｓの中央線（ロールセンタ）Ｌ４３から幅方向に所定距離ａ４３だけ、表面ロール４１における表面アライメントマーク４１２のオフセットと同じ側にオフセットして配置されている。所定距離ａ４３は、裏面賦形部４３１から外れて、後述する第１の検知部（第１のカメラ）８１ａの撮像可能範囲（画角）８３ａに裏面アライメントマーク４３２および裏面トリガーマーク４３３が収まるように設定されている。本実施形態において、所定距離ａ４３は、表面アライメントマーク４１２についての所定距離ａ４１と同一距離に設定されている。
【００３８】
樹脂層硬化部５は、パターン２１、表面アライメントマーク４１２および裏面アライメントマーク４３２が成形された樹脂層を硬化させて、表面２ａおよび裏面２ｂにそれぞれ固着させる。樹脂層硬化部５は、図１に示すように紫外線を照射する光源５１ａ，５１ｂを備えている。光源５１ａ，５１ｂとしては、例えば紫外線を照射可能なＬＥＤランプなどが適用できる。樹脂層は、紫外線硬化樹脂で形成されており、光源５１ａ，５１ｂから紫外線が照射されることで硬化する。本実施形態において、ベースフィルム２は、紫外線透過性を持つ樹脂であるため、光源５１ａ，５１ｂは、紫外線を照射する樹脂層が形成された面とは反対の面側に配置されている。ベースフィルム２を挟んで、表面用の光源５１ａは表面ロール４１と、裏面用の光源５１ｂは裏面ロール４３と、それぞれ対向している。このように光源５１ａ，５１ｂを配置した場合であっても、光源５１ａ，５１ｂから照射された紫外線は、ベースフィルム２を透過して樹脂層に照射される。
【００３９】
樹脂層硬化部５により、表面パターン２１ａと表面アライメントマーク４１２が成形（転写）された樹脂層が表面２ａに固着されるとともに、裏面パターン２１ｂと裏面アライメントマーク４３２が成形（転写）された樹脂層が裏面２ｂに固着されることで、転写フィルム２０が生成される。生成された転写フィルム２０は、フィルム巻取軸６２で巻き取られる。
【００４０】
パターン転写装置１は、表面パターン２１ａと裏面パターン２１ｂとの成形位置のズレを予め補正する補正機構８を備えている。補正機構８によりかかるズレを補正することで、表面パターン２１ａと裏面パターン２１ｂの位置合わせを可能としている。本実施形態では、成形される裏面パターン２１ｂの表面パターン２１ａに対する位置のズレを補正機構８で補正した後、裏面パターン２１ｂを成形している。
【００４１】
図１に示すように、補正機構８は、検知部８１と、制御部８２を有している。検知部８１は、３つの検知部８１ａ，８１ｂ，８１ｃを含んで構成されている。
【００４２】
第１の検知部８１ａは、裏面ロール４３の裏面アライメントマーク４３２の位置および裏面トリガーマーク４３３の位置をそれぞれ検知する。図７から図９に示すように、本実施形態では一例として、第１の検知部８１ａには、カメラ（以下、第１のカメラ８１ａという）が適用されている。
【００４３】
第１のカメラ８１ａは、裏面ロール４３のロール面４３ｓにカメラレンズを向けて、ロール面４３ｓを常時撮像し、裏面アライメントマーク４３２の位置および裏面トリガーマーク４３３の位置をそれぞれ検知する。第１のカメラ８１ａは、その撮像可能範囲（画角）８３ａに裏面アライメントマーク４３２および裏面トリガーマーク４３３を捉えることが可能な位置に、位置決め固定されている。詳細には、第１方向Ｘに対して、第１のカメラ８１ａは、撮像可能範囲８３ａの中心（以下、第１のカメラ基準点という）８４ａが、機械基準線Ｌから所定距離ｅ４３だけ、裏面アライメントマーク４３２および裏面トリガーマーク４３３のオフセットと同じ側（図９においては、右側）にオフセットされた位置に、位置決め固定されている。第２方向Ｙに対しては、第１のカメラ８１ａは、裏面ロール４３の軸芯４３ｃと同位置に、言い換えれば、第１のカメラ基準点８４ａがロール面４３ｓの頂点４３ｐと同位置に位置するように、位置決め固定されている。そして、第３方向Ｚに対しては、第１のカメラ８１ａは、ロール面４３ｓの頂点４３ｐから、裏面アライメントマーク４３２および裏面トリガーマーク４３３にピントを合わせることが可能な所定距離ｂ４３だけ上方に離れた位置に、位置決め固定されている。
【００４４】
第２の検知部８１ｂは、第１の検知部（第１のカメラ）８１ａによって裏面アライメントマーク４３２の位置が検知された時に、ベースフィルム２に転写された表面アライメントマーク４１２（フィルム表面アライメントマーク２１ｃ）の位置を検知する。図７、図１０、図１１に示すように、本実施形態では一例として、第２の検知部８１ｂには、カメラ（以下、第２のカメラ８１ｂという）が適用されている。第２のカメラ８１ｂは、第１のカメラ８１ａが裏面ロール４３のロール面４３ｓを連続的に撮像するのに対し、所定のタイミングでのみ撮像を行うカメラである。本実施形態において、第２のカメラ８１ｂは、第１のカメラ８１ａによって裏面アライメントマーク４３２の位置が検知された時に、ベースフィルム２の表面２ａを撮像する。具体的には、裏面アライメントマーク４３２の中心の流れ方向の位置が第１のカメラ基準点８４ａの流れ方向の位置にあることが検知された時、第２のカメラ８１ｂは、シャッターを切り、ベースフィルム２の表面２ａを撮像する。つまり、撮像可能範囲８３ａにおいて、第１のカメラ基準点８４ａの第１方向Ｘ、第２方向Ｙの座標値を（０，０）とした場合、裏面アライメントマーク４３２の中心のＹ座標が０であることが検知された時、ベースフィルム２の表面２ａが撮像される。そして、撮像した画像において、第２のカメラ８１ｂは、フィルム表面アライメントマーク２１ｃの位置を、撮像可能範囲（画角）８３ｂにおける相対的な位置関係によって検知する。
【００４５】
第２のカメラ８１ｂは、裏面バックアップロール４４のロール面４４ｓにカメラレンズを向け、フィルム表面アライメントマーク２１ｃを検知することが可能な位置に、位置決め固定されている。詳細には、第１方向Ｘに対して、第２のカメラ８１ｂは、撮像可能範囲８３ｂの中心（以下、第２のカメラ基準点という）８４ｂが、機械基準線Ｌから所定距離ｅ４４だけ第１のカメラ８１ａと同じ側（図１１においては、右側）にオフセットされて、位置決め固定されている。第２方向Ｙに対しては、第２のカメラ８１ｂは、裏面バックアップロール４４の軸芯４４ｃと同位置に、言い換えれば、第２のカメラ基準点８４ｂが、ロール面４４ｓの頂点４４ｐと同位置に位置するように、位置決め固定されている。そして、第３方向Ｚに対しては、第２のカメラ８１ｂは、ロール面４４ｓの頂点４４ｐから、フィルム表面アライメントマーク２１ｃにピントを合わせることが可能な所定距離ｂ４４だけ上方に離れた位置に、位置決め固定されている。
【００４６】
本実施形態において、第１のカメラ８１ａについての所定距離ｅ４３と、第２のカメラ８１ｂについての所定距離ｅ４４とは、同一距離に設定されている。かつ、所定距離ｅ４３および所定距離ｅ４４は、表面アライメントマーク４１２についての所定距離ａ４１および裏面アライメントマーク４３２についての所定距離ａ４３と同一距離に設定されている。つまり、所定距離ａ４１、所定距離ａ４３、所定距離ｅ４３、および所定距離ｅ４４は、全て同一距離に設定されている。
【００４７】
これにより、第１のカメラ８１ａが裏面アライメントマーク４３２を検知し、少なくとも第１方向Ｘに対して、検知された裏面アライメントマーク４３２の中心（斜め十字の交点）の座標が、第１のカメラ基準点８４ａと一致した状態にあるとき、裏面ロール４３の中央線（ロールセンタ）Ｌ４３は、機械基準線Ｌと一致した状態にあり、裏面ロール４３は、パターン転写装置１に対して軸方向にズレることなく、基準の位置にあることになる。
【００４８】
パターン転写装置１の機械基準線Ｌに対して、裏面ロール４３と表面パターン２１ａにいずれも第１方向Ｘ（軸方向、幅方向）にズレが生じている場合、機械基準線Ｌと一致するように位置の補正をすることが考えられる。このとき、裏面ロール４３と表面パターン２１ａのズレをそれぞれ補正するとすれば、そのための補正機構や補正制御が複雑になる。本実施形態では、このようなズレが生じている場合、機械基準線Ｌと一致するように位置の補正をするのではなく、表面パターン２１ａの位置のズレに合わせて、裏面ロール４３の位置を補正するようにしている。この補正によれば、裏面ロール４３の第１方向Ｘの位置を補正する補正機構８を有していればよい。補正の詳細については、後述する。
【００４９】
本実施形態では、裏面ロール４３と裏面バックアップロール４４の直径は、上述したように、同一直径とされている。これにより、第１のカメラ基準点８４ａに対応するロール面４３ｓ上の頂点４３ｐと転写点Ｔｂ（図８参照）との表面距離（周方向の距離）と、第２のカメラ基準点８４ｂに対応するロール面４４ｓ上の頂点４４ｐと転写点Ｔｂとの表面距離を一致させることができる。
【００５０】
裏面バックアップロール４４の直径が裏面ロール４３の直径よりも小さい場合は、かかる表面距離が一致するように、第２のカメラ８１ｂを裏面バックアップロール４４の回転方向の上流側に移動させればよい。
【００５１】
これにより、第２のカメラ８１ｂは、裏面バックアップロール４４によって搬送されているベースフィルム２の表面２ａを撮像する。かかるベースフィルム２の表面２ａには、裏面バックアップロール４４によって搬送されるよりも上流側で、表面ロール４１によって表面２ａに表面アライメントマーク４１２が転写され、フィルム表面アライメントマーク２１ｃが成形されている。
【００５２】
図１１に示すように、第２のカメラ８１ｂは、フィルム表面アライメントマーク２１ｃの位置を検知する。そして、第２のカメラ８１ｂの撮像可能範囲８３ｂの中心（以下、第２のカメラ基準点という）８４ｂに対するフィルム表面アライメントマーク２１ｃの中心（井形の重心）の位置のズレ（ズレ量）を検知する。
【００５３】
図８および図９には、第３の検知部８１ｃの概略構成を示す。第３の検知部８１ｃは、第１の検知部（第１のカメラ）８１ａによって裏面アライメントマーク４３２が検知された時、および裏面トリガーマーク４３３の位置が検知された時に裏面ロール４３の軸方向の位置をそれぞれ検知する。具体的には、裏面アライメントマーク４３２および裏面トリガーマーク４３３の各中心の流れ方向の位置が、第１のカメラ基準点８４ａの流れ方向の位置にあることが検知された時、第３の検知部８１ｃは、裏面ロール４３の軸方向の位置をそれぞれ検知する。つまり、裏面アライメントマーク４３２および裏面トリガーマーク４３３の各中心のＹ座標が０であることが検知された時、裏面ロール４３の軸方向の位置が検知される。
【００５４】
本実施形態では、第３の検知部８１ｃには、レーザ式、静電容量式、超音波式、光干渉式などの非接触変位計（以下、変位計８１ｃという）が適用されている。変位計８１ｃは、裏面ロール４３の操作側（モータによる駆動側とは反対側。図９においては、左側）のロール端面４３ｂから距離ｃ４３、かつ裏面ロール４３の軸芯４３ｃから距離ｄ４３だけそれぞれ離れて位置決め固定されている。ただし、これらの距離ｃ４３，ｄ４３は、ベースフィルム２がフィルム繰出軸６１から最初に繰り出される時点におけるロール端面４３ｂおよび軸芯４３ｃとの距離の目安である。ベースフィルム２がフィルム繰出軸６１から繰り出されて裏面ロール４３が回転を始めると、裏面ロール４３の軸部４３ａを支持する軸受部には、少なくとも軸受部の回転精度の範囲内におけるミクロンオーダーの振れが軸方向に生じる。したがって、裏面ロール４３の回転中、距離ｃ４３，ｄ４３は、裏面ロール４３の変位によって変動する。本実施形態では、変位計８１ｃによって距離ｃ４３の変動を検知することで、裏面ロール４３の軸方向の変位を計測している。なお、このような計測を可能とするべく、裏面ロール４３は、軸部４３ａとロール端面４３ｂとの直角度が精度よく加工されている。
【００５５】
また、図８に示すように、変位計８１ｃは、裏面ロール４３の回転方向に対して転写点Ｔｂよりも所定の位相（角度θ）だけ手前（上流側）の位置の近傍で、ロール端面４３ｂとの距離を検知するように配置されている。例えば、角度θは、裏面トリガーマーク４３３が上側鉛直位置（時計における１２時の位置）にある時の裏面アライメントマーク４３２と転写点Ｔｂとの位相差（本実施形態では一例として、５°）に合わせればよい。
【００５６】
制御部８２は、第１の補正処理および第２の補正処理を行い、表面パターン２１ａと裏面パターン２１ｂとの成形位置のズレを予め補正する。本実施形態では、成形される裏面パターン２１ｂの表面パターン２１ａに対する位置のズレ（以下、パターンズレという）を、裏面パターン２１ｂの成形前に予め補正している。第１の補正処理においては、第２のカメラ８１ｂで検知されたフィルム表面アライメントマーク２１ｃの位置と、第１のカメラ８１ａで検知された裏面アライメントマーク４３２の位置に基づいて、ズレの仮補正量を設定する。第２の補正処理においては、変位計８１ｃで検知された裏面ロール４３の軸方向の位置に基づいて、第１の補正処理で設定された仮補正量を修正してズレの最終補正量を設定する。
【００５７】
制御部８２は、ＣＰＵ、メモリ、入出力回路、タイマなどを備えたマイクロコンピュータとして構成されている。制御部８２は、各種データを入出力回路により読み込み、メモリから読み出したプログラムを用いてＣＰＵで演算し、演算結果に基づいた制御を行う。制御部８２には、第１のカメラ８１ａ、第２のカメラ８１ｂ、変位計８１ｃによる検知結果のデータが逐一送信されている。制御部８２は、これらのデータを用いて、第１の補正処理を行うとともに、第２の補正処理を行う。
【００５８】
制御部８２は、第２の補正処理によって設定した最終補正量に基づいて、パターンズレを補正する。その際、制御部８２は、裏面ロール４３の周速度を増減させるとともに、裏面ロール４３の軸方向位置を変位させる。制御部８２は、裏面ロール４３の周速度を上げる場合、裏面ロール４３の軸部４３ａを駆動するモータの出力を上げ、周速度を下げる場合、当該モータの出力を下げる。また、制御部８２は、裏面ロール４３の軸方向位置を一方側（例えば、モータによる駆動側）に変位させる場合、裏面ロール４３の移動機構１１で裏面ロール４３を一方側へ進行させ、他方側（例えば、モータによる駆動側とは反対側（操作側））に変位させる場合、裏面ロール４３を他方側へ退行させる。
【００５９】
図１２および図１３に示すように、パターンズレは、ベースフィルム２の流れ方向とベースフィルム２の幅方向の双方に生じる。制御部８２は、流れ方向および幅方向の双方に対するパターンズレを、それぞれ以下のように補正する。なお、ベースフィルム２の幅方向は、表面ロール４１および裏面ロール４３の軸方向に相当する。
【００６０】
まず、流れ方向に対するパターンズレの補正について説明する。制御部８２は、フィルム表面アライメントマーク２１ｃの位置の流れ方向のズレ量を演算する。具体的には、第２のカメラ８１ｂによって撮像されたフィルム表面アライメントマーク２１ｃの中心位置の第２のカメラ基準点８４ｂに対する流れ方向のズレ量を演算する。
【００６１】
第２のカメラ８１ｂによってフィルム表面アライメントマーク２１ｃが撮像されるタイミング（以下、撮像基準時という）において、裏面アライメントマーク４３２の中心の流れ方向の位置は、第１のカメラ基準点８４ａの流れ方向の位置にある（Ｙ座標が０）。したがって、例えば撮像されたフィルム表面アライメントマーク２１ｃの中心の流れ方向の位置（Ｙ座標）が第２のカメラ基準点８４ｂよりも上流側にある場合（図１２に示すＰ１が相当）、フィルム表面アライメントマーク２１ｃは、裏面アライメントマーク４３２に対して遅れを生じている。この状態では、裏面パターン２１ｂが表面パターン２１ａに対して下流側へズレて成形され、流れ方向にパターンズレが生じることになる。したがって、裏面パターン２１ｂを表面パターン２１ａの位置に合わせて成形させるため、裏面ロール４３の周速度を下げて、裏面パターン２１ｂの成形を遅らせる。
【００６２】
これに対し、撮像されたフィルム表面アライメントマーク２１ｃの中心の流れ方向の位置（Ｙ座標）が第２のカメラ基準点８４ｂよりも下流側にある場合（図１２に示すＰ２が相当）、フィルム表面アライメントマーク２１ｃは、裏面アライメントマーク４３２よりも先行している。この状態では、裏面パターン２１ｂが表面パターン２１ａに対して上流側へズレて成形され、流れ方向にパターンズレが生じることになる。したがって、裏面パターン２１ｂを表面パターン２１ａの位置に合わせて成形させるため、裏面ロール４３の周速度を上げて、裏面パターン２１ｂの成形を早める。
【００６３】
図１２に示すように、撮像されたフィルム表面アライメントマーク２１ｃの中心（重心）位置がＰ１と検知された場合、フィルム表面アライメントマーク２１ｃは、裏面アライメントマーク４３２よりも流れ方向に距離ｙ１だけ遅れている。この場合、制御部８２は、裏面ロール４３の周速度を距離ｙ１に相当する分だけ減速させるように、裏面ロール４３を駆動するモータの出力を下げる。また、撮像されたフィルム表面アライメントマーク２１ｃの中心（重心）位置がＰ２と検知された場合、フィルム表面アライメントマーク２１ｃは、裏面アライメントマーク４３２よりも流れ方向に距離ｙ２だけ先行している。この場合、制御部８２は、裏面ロール４３の周速度を距離ｙ２に相当する分だけ増速させるように、裏面ロール４３を駆動するモータの出力を上げる。
【００６４】
なお、これらの流れ方向に対するパターンズレの補正量（距離ｙ１，ｙ２）は、第１の補正処理で設定される。そして、第２の補正処理後、当該補正量に基づいて、裏面ロール４３の周速度は、増減される。すなわち、流れ方向に対するパターンズレの補正においては、仮補正量がそのまま最終補正量として設定される。
【００６５】
次に、幅方向に対するパターンズレの補正について説明する。制御部８２は、フィルム表面アライメントマーク２１ｃおよび裏面アライメントマーク４３２の中心の幅方向のズレ量を演算する。具体的には、第２のカメラ８１ｂによって撮像されたフィルム表面アライメントマーク２１ｃの中心位置の第２のカメラ基準点８４ｂに対する幅方向のズレ量を演算する。また、第１のカメラ８１ａによって撮像された裏面アライメントマーク４３２の中心位置の第１のカメラ基準点８４ａに対する幅方向のズレ量を演算する。この場合、制御部８２は、撮像基準時に撮像された裏面アライメントマーク４３２の中心位置の幅方向のズレ量を演算する。
【００６６】
例えば、図１２に示すように、撮像されたフィルム表面アライメントマーク２１ｃの中心位置が第２のカメラ基準点８４ｂよりも駆動側（図１２においては、右側）にある場合、表面パターン２１ａは、成形される裏面パターン２１ｂに対しても駆動側に位置することになる。逆に、撮像されたフィルム表面アライメントマーク２１ｃの中心位置が第２のカメラ基準点８４ｂよりも操作側（図１２においては、左側）にある場合、表面パターン２１ａは、成形される裏面パターン２１ｂに対しても操作側に位置することになる。
【００６７】
一方、撮像された裏面アライメントマーク４３２の中心位置が第１のカメラ基準点８４ａよりも駆動側（図１２においては、右側）にある場合、裏面パターン２１ｂは、駆動側に寄って成形（転写）されることになる。逆に、撮像された裏面アライメントマーク４３２の位置が第１のカメラ基準点８４ａよりも操作側（図１２においては、左側）にある場合、裏面パターン２１ｂは、操作側に寄って成形されることになる。
【００６８】
制御部８２は、第１の補正処理において、これらのフィルム表面アライメントマーク２１ｃおよび裏面アライメントマーク４３２の幅方向に対するズレ（つまり、撮像基準時におけるズレ）に基づいて、幅方向に対するパターンズレの仮補正量を設定する。
【００６９】
幅方向に対するパターンズレの仮補正量を設定した後、制御部８２は、その仮補正量を修正して、最終補正量を設定する。具体的には、仮補正量設定時（撮像基準時）と、裏面トリガーマーク４３３の中心の流れ方向の位置が第１のカメラ基準点８４ａの流れ方向の位置にあることが検知された時（以下、最終補正量設定時という）に、変位計８１ｃによって検知された裏面ロール４３の軸方向の位置の変位を演算する。最終補正量設定時において、裏面トリガーマーク４３３の中心は、例えば図１３に示すＰ４のようにＹ座標が０である。そして、制御部８２は、演算した変位で幅方向に対するパターンズレの仮補正量を修正し、最終補正量を設定する。
【００７０】
例えば、最終補正量設定時に検知された裏面ロール４３の軸方向（幅方向）の位置が仮補正量設定時（撮像基準時）よりも駆動側に移動している場合、もしくは操作側に移動している場合、制御部８２は、これらの移動量（変位量）に基づいて、仮補正量を修正し、幅方向に対するパターンズレの最終補正量を設定する。そして、制御部８２は、最終補正量だけ、裏面ロール４３の軸方向位置を駆動側もしくは操作側に変位させる。
【００７１】
図１２に示すように、撮像基準時に撮像されたフィルム表面アライメントマーク２１ｃの中心（重心）位置がＰ１やＰ２と検知された場合、フィルム表面アライメントマーク２１ｃは、第２のカメラ基準点８４ｂよりも距離ｘ１だけ操作側にある。また、図１２に示すように、撮像基準時に撮像された裏面アライメントマーク４３２の中心（交点）位置がＰ３と検知された場合、裏面アライメントマーク４３２は、第１のカメラ基準点８４ａよりも距離ｘ２だけ駆動側にある。この場合、制御部８２は、裏面ロール４３が軸方向の駆動側へ距離（ｘ１＋ｘ２）だけ移動していると判定する。したがって、制御部８２は、幅方向に対するパターンズレの仮補正量を、操作側へ距離（ｘ１＋ｘ２）として設定する。
【００７２】
そして、最終補正量設定時において、図９に示す変位計８１ｃとロール端面４３ｂとの距離ｃ４３が撮像基準時と比べて距離ｘ３だけ近づいていることが検知された場合、制御部８２は、裏面ロール４３の軸方向の最終補正量を次のように設定する。この場合、制御部８２は、裏面ロール４３が撮像基準時と比べ、軸方向の駆動側へ距離ｘ３だけ移動していると判定する。したがって、制御部８２は、幅方向に対するパターンズレの最終補正量を、操作側へ距離（ｘ１＋ｘ２−ｘ３）として設定する。なおこの場合、裏面トリガーマーク４３３の中心位置は、図１３に示すＰ５のように、第１のカメラ基準点８４ａよりも距離ｘ３だけ操作側（図１３においては、左側）にある。
【００７３】
幅方向に対するパターンズレの最終補正量は、第２の補正処理において設定される。第２の補正処理の後、制御部８２は、幅方向に対するパターンズレの最終補正量だけ、裏面ロール４３を軸方向の駆動側もしくは操作側へ移動させるように、裏面ロール４３の移動機構１１を制御する。上記例の場合であれば、制御部８２は、移動機構１１を制御し、裏面ロール４３の移動テーブル１０を操作側へ距離（ｘ１＋ｘ２−ｘ３）だけ移動させる。
【００７４】
なお、制御部８２は、第２の補正処理の後、流れ方向に対するパターンズレの補正と幅方向に対するパターンズレの補正を同時に行う。すなわち、制御部８２は、裏面ロール４３の周速度の増減と、裏面ロール４３の軸方向位置の変位を同時に行う。ただし、裏面パターン２１ｂが成形される前にいずれもが終了可能であれば、裏面ロール４３の周速度の増減と軸方向位置の変位のタイミングは同時でなくともよい。
【００７５】
本実施形態によれば、第１の補正処理において、流れ方向および幅方向に対するパターンズレの仮補正量を設定し、第２の補正処理において、幅方向に対するパターンズレの仮補正量を補正して、流れ方向および幅方向に対するパターンズレの最終補正量を設定している。これにより、設定した最終補正量に基づいてパターンズレ、つまり成形される裏面パターン２１ｂの表面パターン２１ａに対する位置のズレを、裏面パターン２１ｂの成形前に予め補正することができる。
【００７６】
本実施形態では一例として、対をなす表面アライメントマーク４１２、裏面アライメントマーク４３２、および裏面トリガーマーク４３３は、それぞれ４つずつ、９０°の位相差で配置されている。したがって、パターンズレは、裏面ロール４３が１回転する間に４回補正される。このため、表面パターン２１ａと裏面パターン２１ｂの位置合わせを高精度に行うことができ、転写フィルム２０の品質向上を図ることが可能となる。
【００７７】
例えば、裏面ロール４３の径寸法が大きくなるほど、軸部４３ａを支持する軸受部の内径寸法および外径寸法は大きくなる。軸受部の内外径寸法が大きくなると、軸受部は、内輪の軸方向の振れが大きくなる。したがって、裏面パターン２１ｂの転写点Ｔｂの僅かに手前（上流側）で幅方向に対するパターンズレの仮補正量を補正して最終補正量を設定することで、表面パターン２１ａと裏面パターン２１ｂの位置合わせをより高精度に行うことが可能となる。
【００７８】
以上、本発明の実施形態を説明したが、上述した実施形態は、一例として提示したものであり、発明の範囲を限定することは意図していない。また、上述した新規な実施形態は、その他の様々な形態で実施することが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７９】
１…パターン転写装置、２…基材（ベースフィルム）、２ａ…ベースフィルムの表面、２ｂ…ベースフィルムの裏面、３…樹脂層形成部、３ａ，３ｂ…樹脂吐出部（塗工ダイ）、４…パターン転写部、５…樹脂層硬化部、６…フィルム搬送部、８…補正機構、１１…移動機構、２０…転写フィルム、２１…パターン、２１ａ…表面パターン、２１ｂ…裏面パターン、２１ｃ…フィルム表面アライメントマーク、４１…表面ロール、４１１…表面賦形部、４１２…表面アライメントマーク、４２…表面バックアップロール、４３…裏面ロール、４３ｂ…ロール端面、４３１…裏面賦形部、４３２…裏面アライメントマーク、４３３…裏面トリガーマーク、４４…裏面バックアップロール、８１…検知部、８１ａ…第１の検知部（第１のカメラ）、８１ｂ…第２の検知部（第２のカメラ）、８１ｃ…第３の検知部（変位計）、８２…制御部、８３ａ…第１のカメラの撮像可能範囲、８３ｂ…第２のカメラの撮像可能範囲、８４ａ…第１のカメラ基準点、８４ｂ…第２のカメラ基準点。
【図１】
2019025718.tif 000003
【図２】
2019025718.tif 000004
【図３】
2019025718.tif 000005
【図４】
2019025718.tif 000006
【図５】
2019025718.tif 000007
【図６】
2019025718.tif 000008
【図７】
2019025718.tif 000009
【図８】
2019025718.tif 000010
【図９】
2019025718.tif 000011
【図１０】
2019025718.tif 000012
【図１１】
2019025718.tif 000013
【図１２】
2019025718.tif 000014
【図１３】
2019025718.tif 000015